(57)【要約】【課題】  トナーまたはインクを節約して印刷する印刷制御装置および印刷ホスト装置および印刷装置および方法およびプログラムを提供する。【解決手段】  印刷データ生成部１０２において印刷データを生成し、該印刷データ中の印刷部分（トナー／インク付着部分）を印刷領域割合計測部１０３で計測する。その結果、計測値が所定の割合以上を占めるか否かを反転処理判断部１０４で判断し、所定の割合以上と判断した場合には、印刷データの印刷部分および非印刷部分を反転処理部１０５で反転させたものをプリンタ２０１で出力することで印刷制御処理を行う。【選択図】  図１
2005335291.tif 000002
【特許請求の範囲】
【請求項１】
印刷データに基づき所定の印刷対象領域に対して印刷制御を行う印刷制御装置において、
前記印刷データに基づき前記印刷対象領域に対する印刷部分の割合を計測する印刷割合計測手段と、
前記印刷割合計測手段で計測された印刷部分の割合が所定の閾値以上か否かを判断する判断手段と、
前記判断手段で印刷部分の割合が所定の閾値以上と判断された場合に、前記印刷データを印刷部分と非印刷部分とで反転する反転処理手段と、
前記反転処理手段で反転された印刷データの印刷制御を行う印刷制御手段と
を具備することを特徴とする印刷制御装置。
【請求項２】
前記判断手段は、
前記所定の閾値を任意に設定する設定手段と、
前記設定手段により設定された閾値に基づいて印刷データを印刷部分と非印刷部分とで反転するか否かを判断する
ことを特徴とする請求項１記載の印刷制御装置。
【請求項３】
前記判断手段で印刷部分の割合が所定の閾値以上と判断された場合に、前記反転手段により前記印刷データを反転するか否かの確認を印刷指示者に求める確認手段
を更に具備することを特徴とする請求項１記載の印刷制御装置。
【請求項４】
印刷装置に該印刷装置で所定の印刷対象領域に印刷する印刷データを送信する印刷ホスト装置において、
前記印刷装置に送信する印刷データに基づき前記印刷対象領域に対する印刷部分の割合を計測する印刷割合計測手段と、
前記印刷割合計測手段で計測された印刷部分の割合が所定の閾値以上か否かを判断する判断手段と、
前記判断手段で印刷部分の割合が所定の閾値以上と判断された場合に、前記印刷データを印刷部分と非印刷部分とで反転する反転処理手段と、
前記反転処理手段で反転された印刷データを前記印刷装置に送信する送信手段と
を具備することを特徴とする印刷ホスト装置。
【請求項５】
印刷ホスト装置から送信された印刷データに基づき所定の印刷対象領域に印刷する印刷装置において、
前記印刷データに基づき前記印刷対象領域に対する印刷部分の割合を計測する印刷割合計測手段と、
前記印刷割合計測手段で計測された印刷部分の割合が所定の閾値以上か否かを判断する判断手段と、
前記判断手段で印刷部分の割合が所定の閾値以上と判断された場合に、前記印刷データを印刷部分と非印刷部分とで反転する反転処理手段と、
前記反転処理手段で反転された印刷データに基づき印刷を行う印刷手段と
を具備することを特徴とする印刷装置。
【請求項６】
印刷データに基づき所定の印刷対象領域に対して印刷制御を行う印刷制御方法において、
前記印刷データに基づき前記印刷対象領域に対する印刷部分の割合を印刷割合計測手段で計測し、
前記印刷割合計測手段で計測された印刷部分の割合が所定の閾値以上か否かを判断手段で判断し、
前記判断手段で印刷部分の割合が所定の閾値以上と判断された場合に、前記印刷データを印刷部分と非印刷部分とで反転処理手段で反転し、
前記反転処理手段で反転された印刷データに基づき印刷制御手段で印刷制御を行う
ことを特徴とする印刷制御方法。
【請求項７】
印刷データに基づき所定の印刷対象領域に対して印刷制御をコンピュータに実行させる印刷制御プログラムであって、
前記印刷データに基づき前記印刷対象領域に対する印刷部分の割合を計測する印刷割合計測ステップと、
前記印刷割合計測ステップで計測された印刷部分の割合が所定の閾値以上か否かを判断する判断ステップと、
前記判断ステップで印刷部分の割合が所定の閾値以上と判断された場合に、前記印刷データを印刷部分と非印刷部分とで反転する反転処理ステップと、
前記反転処理ステップで反転された印刷データの印刷制御を行う印刷制御ステップと
を含むことを特徴とする印刷制御プログラム。
【発明の詳細な説明】
【技術分野】
【０００１】
本発明は、印刷制御装置および印刷ホスト装置および印刷装置および方法およびプログラムに係わり、詳しくは、印刷部分および非印刷部分を反転して印刷することでトナーまたはインクの節約を行うようにした印刷制御装置および印刷ホスト装置および印刷装置および方法およびプログラムに関する。
【背景技術】
【０００２】
従来、印刷システムは、試し印刷のために印刷イメージを損なわない程度にトナーやインクを節約する機構を備えているものがある。例えば、塗りつぶし部分のトナーの付着部分を間引いたり、輪郭部分のみにトナーを付着させるような機構である。
【０００３】
また、印刷システムに入力される印刷データにおいて、トナーやインクが紙やその他の印刷対象物に付着することを期待する領域と付着しないことを期待する領域を逆転させて印刷する機能を備えているものもある。この機能は一般的に反転印刷やネガ印刷などと呼ばれていて使用用途としては主に、印刷に使う原版を作成する際の版下に使用する。
【０００４】
上述したトナーを節約する技術に関して、特許文献１記載の「印刷システム、印刷システムにおけるトナー節約方法および記憶媒体」および特許文献２記載の「印刷装置及び印刷システム」が開示されている。
【０００５】
この特許文献１の発明は、トナー節約機能を有する印刷システムにおいて、印刷実行時に毎回前記トナー節約機能を使うか使わないかについてのユーザの指示を求める画面を表示させることで、トナー節約機能の設定漏れを回避するという技術について言及されている。
【０００６】
また、特許文献２の発明は、印刷画像データに含まれる黒部分を検出し、黒部分が単位画像面において所定の割合を越える場合に、トナーセーブモードを設定することで、印刷コストの削減及び資源、エネルギーの有効利用が行えるという技術について言及されている。
【特許文献１】特開２００１−２７２８８２
【特許文献２】特開２００１−２４９５８３
【発明の開示】
【発明が解決しようとする課題】
【０００７】
しかしながら、上記従来の特許文献１若しくは特許文献２に記載された印刷システムにおいては、トナーの節約を行う場合に、塗りつぶし部分のトナー付着部分を間引いたり、輪郭部分のみにトナーを付着させるという手法を採用しているため、印刷後の印象が全体的に薄く感じられたり、ぼやけたりしてしまうという問題があり、特に、印刷物が文字部を有している場合には、文字部がぼやけて印刷されることで、印刷物の情報伝達機能が損なわれてしまうという問題があった。
【０００８】
また、上記従来のトナー節約手法では、塗りつぶし部分のトナー付着部分を間引いたりすることでトナーの節約を行っているため、少量のトナーの節約は図れても飛躍的にトナーの節約を図るということはできなかった。
【０００９】
そこで、本発明は、印刷部分が所定の割合以上を占める場合に、印刷部分および非印刷部分を反転して印刷することで簡単な構成により有効なトナーまたはインクの節約を可能にした印刷制御装置および印刷ホスト装置および印刷装置および方法およびプログラムを提供することを目的とする。
【課題を解決するための手段】
【００１０】
上記目的を達成するため、請求項１の発明は、印刷データに基づき所定の印刷対象領域に対して印刷制御を行う印刷制御装置において、前記印刷データに基づき前記印刷対象領域に対する印刷部分の割合を計測する印刷割合計測手段と、前記印刷割合計測手段で計測された印刷部分の割合が所定の閾値以上か否かを判断する判断手段と、前記判断手段で印刷部分の割合が所定の閾値以上と判断された場合に、前記印刷データを印刷部分と非印刷部分とで反転する反転処理手段と、前記反転処理手段で反転された印刷データの印刷制御を行う印刷制御手段とを具備することを特徴とする。
【００１１】
また、請求項２の発明は、請求項１の発明において、前記判断手段は、前記所定の閾値を任意に設定する設定手段と、前記設定手段により設定された閾値に基づいて印刷データを印刷部分と非印刷部分とで反転するか否かを判断することを特徴とする。
【００１２】
また、請求項３の発明は、請求項１の発明において、前記判断手段で印刷部分の割合が所定の閾値以上と判断された場合に、前記反転手段により前記印刷データを反転するか否かの確認を印刷指示者に求める確認手段を更に具備することを特徴とする。
【００１３】
また、請求項４の発明は、印刷装置に該印刷装置で所定の印刷対象領域に印刷する印刷データを送信する印刷ホスト装置において、前記印刷装置に送信する印刷データに基づき前記印刷対象領域に対する印刷部分の割合を計測する印刷割合計測手段と、前記印刷割合計測手段で計測された印刷部分の割合が所定の閾値以上か否かを判断する判断手段と、前記判断手段で印刷部分の割合が所定の閾値以上と判断された場合に、前記印刷データを印刷部分と非印刷部分とで反転する反転処理手段と、前記反転処理手段で反転された印刷データを前記印刷装置に送信する送信手段とを具備することを特徴とする。
【００１４】
また、請求項５の発明は、印刷ホスト装置から送信された印刷データに基づき所定の印刷対象領域に印刷する印刷装置において、前記印刷データに基づき前記印刷対象領域に対する印刷部分の割合を計測する印刷割合計測手段と、前記印刷割合計測手段で計測された印刷部分の割合が所定の閾値以上か否かを判断する判断手段と、前記判断手段で印刷部分の割合が所定の閾値以上と判断された場合に、前記印刷データを印刷部分と非印刷部分とで反転する反転処理手段と、前記反転処理手段で反転された印刷データに基づき印刷を行う印刷手段とを具備することを特徴とする。
【００１５】
また、請求項６の発明は、印刷データに基づき所定の印刷対象領域に対して印刷制御を行う印刷制御方法において、前記印刷データに基づき前記印刷対象領域に対する印刷部分の割合を印刷割合計測手段で計測し、前記印刷割合計測手段で計測された印刷部分の割合が所定の閾値以上か否かを判断手段で判断し、前記判断手段で印刷部分の割合が所定の閾値以上と判断された場合に、前記印刷データを印刷部分と非印刷部分とで反転処理手段で反転し、前記反転処理手段で反転された印刷データに基づき印刷制御手段で印刷制御を行うことを特徴とする。
【００１６】
また、請求項７の発明は、印刷データに基づき所定の印刷対象領域に対して印刷制御をコンピュータに実行させる印刷制御プログラムであって、前記印刷データに基づき前記印刷対象領域に対する印刷部分の割合を計測する印刷割合計測ステップと、前記印刷割合計測ステップで計測された印刷部分の割合が所定の閾値以上か否かを判断する判断ステップと、前記判断ステップで印刷部分の割合が所定の閾値以上と判断された場合に、前記印刷データを印刷部分と非印刷部分とで反転する反転処理ステップと、前記反転処理ステップで反転された印刷データの印刷制御を行う印刷制御ステップとを含むことを特徴とする。
【発明の効果】
【００１７】
本発明によれば、印刷データ中の印刷部分（トナー／インク付着部分）が所定の割合以上を占める場合に、印刷部分および非印刷部分を反転して印刷するので、簡単な構成により有効なトナーおよびインクの節約を図ることができるという効果を奏する。
【発明を実施するための最良の形態】
【００１８】
以下、この発明に係わる印刷制御装置および印刷ホスト装置および印刷装置および方法およびプログラムの実施例について添付図面を参照して詳細に説明する。
【実施例１】
【００１９】
図１は、本発明に係わるホスト端末１０１、該ホスト端末１０１と接続されるプリンタ２０１の概略構成を説明するブロック図である。なお、本発明の機能が実行されるのであれば、単体の機器であっても、複数の機器からなるシステムであっても、ＬＡＮ（Local Area Network），ＷＡＮ（Wide Area Network）等のネットワークを介して接続が為され処理が行われるシステムであっても本発明を適用できる。
【００２０】
図１において、ホスト端末１０１は、アプリケーションで作成されたデータから印刷データを生成する印刷データ生成部１０２、印刷データ生成部１０２で生成された印刷データ中の印刷部分（トナー付着部分）が占める割合を計測する印刷領域割合計測部１０３、印刷領域割合計測部１０３での計測結果を受けて印刷データをそのまま出力するか、反転させて出力するかを予め設定された閾値に基づいて判断する反転処理判断部１０４、反転処理判断部１０４での判断結果に基づいて印刷データをそのまま若しくは、反転させてプリンタ２０１へ送信する反転処理部１０５を具備して構成される。
【００２１】
さらに、ホスト端末１０１は、ホスト端末１０１とユーザを繋ぐユーザインターフェースとして、ユーザに情報を表示する表示部１０６、ユーザが情報を入力するための操作部１０７も備えている。
【００２２】
印刷領域割合計測部１０３は、印刷データにおける印刷対象物の印刷対象領域内に占める印刷部分の割合を計測する。この印刷データにおける印刷対象物および印刷対象領域について図２を参照しながら説明する。
【００２３】
同図には、印刷データ３０１の一例が示されており、印刷データ３０１における余白部分を除いた領域が印刷対象領域３０２であり、この印刷データを印刷した際にトナーが付着する部分を印刷部分３０３という。
【００２４】
印刷領域割合計測部１０３は、印刷データ３０１において、印刷対象領域３０２内に印刷部分３０３が占める割合を計測することで印刷部分の割合を計測する。その計測結果を受けて反転処理判断部１０４において、印刷データ３０１を反転すると判断した場合には、反転処理部１０５で、印刷対象領域３０２内の印刷部分３０３と、印刷対象領域３０２内の非印刷部分を反転させてプリンタ２０１へ送信する。
【００２５】
図３は、ホスト端末１０１から反転印刷を指定する際に用いられる画面レイアウト４０１の一例である。この画面レイアウト４０１は、一般的にホスト端末１０１から印刷指示を行うに際して、プリント設定の変更等などを行うプリント詳細設定画面４０１にあたる。
【００２６】
このプリント詳細設定画面４０１は、「省トナー設定」４０２として「反転印刷設定」４０３が行えるよう構成されている。本発明では省トナーを図るために詳細な反転印刷の設定が行える。
【００２７】
「反転印刷設定」４０３は、印刷データの印刷部分の割合に関係無く反転印刷を指定する「反転印刷を行う」４０４、印刷データをそのまま出力する「反転印刷しない」４０５、反転印刷を行うか否かを自動で判断して行う「自動で反転印刷判断を行う」４０６を具備しており、それぞれ併記されるラジオボックス（排他制御）を選択することで反転印刷の設定が行える。
【００２８】
また、「自動で反転印刷判断を行う」４０６は、反転処理を行う際に反転するか否かの判断基準となる閾値を入力するための入力項目「反転印刷閾値」４０７、反転する際にユーザに確認するか否かの選択が行えるチェックボックス「反転することを確認する」４０８を具備する。
【００２９】
同図に示される「反転印刷閾値」４０７には、デフォルトとして６０％が設定されており、この設定値は自由に変更できる。また、「反転することを確認する」４０８に併記されるチェックボックスをチェックした場合には、印刷部分の占める割合が閾値以上と判断され反転処理するに際して、反転するか否かをユーザにポップアップ等を表示することで確認する。
【００３０】
以上説明したように本発明においては、上述したようなプリント詳細設定画面４０１で容易に省トナーを図るために反転印刷設定が行える。
【００３１】
なお、従来の印刷システムにおいても反転印刷という機能は存在していたが、使用用途が印刷物の原版を作成する際の版下作成という特殊な印刷を行うことを目的としていたため、反転印刷する際には専用の事前設定を行う必要があり、通常の印刷よりも数オペレーション余分な工程が発生していた。
【００３２】
また、従来の印刷システムにおいて、省トナーを目的として反転印刷を行う場合には、ユーザが目視で印刷部分の割合を判断し、反転印刷するか否かの決定を行うしか方法がなく、印刷部分の割合が幾ら以上の場合反転印刷を行う、といったユーザの意思を反映させづらかった。
【００３３】
図４は、図１に示したホスト端末１０１から反転印刷を指定した結果出力された印刷物５０２の一例を示す図である。
【００３４】
同図には、表示部１０６に表示された印刷対象の画面５０１、該画面５０１の印刷部分と非印刷部分を反転印刷して出力された印刷物５０２が示されている。
【００３５】
画面５０１は、文字部が白色で形成され背景部は黒色で形成されているため、印刷する際には大部分が印刷部分であると推測でき、通常の印刷を行う場合にはトナーを多量に使用することが想定できる。
【００３６】
ここで、反転印刷した出力結果の印刷物５０２を参照してみると、画面５０１では黒色部分（印刷部分）が大部分を占めていたのに対して、印刷部分が大幅に減少したのが分かる。また、この場合、この印刷物５０２の情報伝達事項である文字情報はぼやけることなく、はっきりと印刷されている。
【００３７】
従来このような画面５０１を印刷する際に、トナー節約モード等を指定し印刷出力した場合には、トナー付着部分を間引くことで省トナーを図っていたため、印刷物５０２の情報伝達事項である文字情報がぼやけたりしてしまうという問題があったが、上記図４で説明したように、本発明においては、反転させることでトナーの節約を行うので情報を損なってしまうといったことは起こらない。
【００３８】
図５は、図１に示したホスト端末１０１における印刷制御処理の動作を説明するフローチャートである。
【００３９】
ホスト端末１０１を扱うユーザにより、ホスト端末１０１上で動作する各種アプリケーションから印刷指示が行われると（ステップＳ１０１でＹＥＳ）、この印刷制御処理は開始される。
【００４０】
この印刷制御処理が開始されると、まず、印刷データ生成部１０２において印刷データが生成される（ステップＳ１０２）。
【００４１】
次に、反転印刷を指定した印刷指示か否かの判断を行う（ステップＳ１０３）。すなわち、上記図３で説明したプリント詳細設定画面４０１において反転印刷がユーザにより指定されたか否かの判断である。
【００４２】
ここで、反転印刷が指定されていない場合には（ステップＳ１０３でＮＯ）、印刷データをそのままプリンタ２０１へ送信する（ステップＳ１１２）。該印刷データはプリンタ２０１で出力され、この印刷制御処理を終了する。
【００４３】
反転印刷が指定されている場合には（ステップＳ１０３でＹＥＳ）、自動で反転印刷を判断するか否かの判断を行う（ステップＳ１０４）。すなわち、上記図３で説明したプリント詳細設定画面４０１において「反転印刷を行う」４０４が指定された印刷指示なのか、「自動で反転印刷判断を行う」４０６が指定された印刷指示なのかの判断である。
【００４４】
ここで、「反転印刷を行う」４０４が指定された印刷指示の場合は（ステップＳ１０４でＮＯ）、反転処理を行い（ステップＳ１０５）、印刷データをプリンタ２０１へ送信する（ステップＳ１１２）。該印刷データはプリンタ２０１で出力され、この印刷制御処理を終了する。
【００４５】
「自動で反転印刷判断を行う」４０６が指定された印刷指示の場合は（ステップＳ１０４でＹＥＳ）、印刷領域割合計測を行う（ステップＳ１０６）。
【００４６】
上記ステップＳ１０６で計測された印刷データ中の印刷部分が占める割合が、印刷指示時に設定された閾値以上か否かの判断を行う（ステップＳ１０７）。ここで、印刷部分の占める割合が閾値以下と判断された場合は（ステップＳ１０７でＮＯ）、印刷データをそのままプリンタ２０１へ送信する（ステップＳ１１２）。該印刷データはプリンタ２０１で出力され、この印刷制御処理を終了する。
【００４７】
印刷部分の占める割合が閾値以上と判断された場合は（ステップＳ１０７でＹＥＳ）、反転確認をするか否かの判断を行う（ステップＳ１０８）。すなわち、上記図３で説明したプリント詳細設定画面４０１において「反転することを確認する」４０８のチェックボックスがチェックされたか否かの判断である。
【００４８】
「反転することを確認する」４０８のチェックボックスがチェックされていない印刷指示の場合は（ステップＳ１０８でＮＯ）、反転処理を行い（ステップＳ１１１）、印刷データをプリンタ２０１へ送信する（ステップＳ１１２）。該印刷データはプリンタ２０１で出力され、この印刷制御処理を終了する。
【００４９】
「反転することを確認する」４０８のチェックボックスがチェックされた印刷指示の場合は（ステップＳ１０８でＹＥＳ）、反転するか否かの確認をポップアップ等を表示することでユーザに行う（ステップＳ１０９）。ここで、ユーザが反転しないを選択した場合には（ステップＳ１１０でＮＯ）、印刷データをそのままプリンタ２０１へ送信する（ステップＳ１１２）。該印刷データはプリンタ２０１で出力され、この印刷制御処理を終了する。
【００５０】
ユーザが反転するを選択した場合には（ステップＳ１１０でＹＥＳ）、反転処理を行い（ステップＳ１１１）、印刷データをプリンタ２０１へ送信する（ステップＳ１１２）。該印刷データはプリンタ２０１で出力され、この印刷制御処理を終了する。
【００５１】
以上説明したように本発明においては、印刷データを反転するか否かの判断基準となる閾値を設け、該閾値以上の場合には印刷データを反転して出力するよう構成したので、ユーザの意思を正確に反映したトナー節約を図ることができる。
【００５２】
なお、上記実施例においては、本発明を適用することにより省トナーを図る方法を説明したが、本発明はトナーの節約だけに限定されるわけではなく、インクジェット式のプリンタに適用した場合には省インクを図ることが可能である。
【００５３】
また、上記実施例においては、本発明に係わる印刷制御方法をホスト端末１０１に適用することにより行うよう構成したが、この印刷制御処理をホスト端末１０１にインストールされた印刷制御プログラム（例えば、プリンタドライバ）により実行させるように構成してもよい。
【００５４】
この他、本発明は、上記および図面に示す実施例に限定することなく、その要旨を変更しない範囲内で適宜変形して実施できるものである。例えば、複数色によるカラー印刷の場合には、各色毎に本発明を適用することで、上述した処理と同様の印刷制御処理が行える。
【実施例２】
【００５５】
上記実施例１では、ホスト端末１０１に本発明を適用して構成した場合を説明したが、実施例２においては、本発明の印刷制御方法をプリンタ２０１に適用した構成を説明する。
【００５６】
図６は、本発明に係わるプリンタ２０１と該プリンタと接続されるホスト端末１０１の概略構成を説明するブロック図である。
【００５７】
図６において、プリンタ２０１は、ホスト端末１０１から印刷データを受信する印刷データ受信部２０２、印刷データ受信部２０２で受信した印刷データ中の印刷部分（トナー付着部分）が占める割合を計測する印刷領域割合計測部２０３、印刷領域割合計測部２０３での計測結果を受けて印刷データをそのまま出力するか、反転させて出力するかを予め設定された閾値に基づいて判断する反転処理判断部２０４、反転処理判断部２０４での判断結果に基づいて印刷データをそのまま若しくは、反転させる反転処理部２０５、反転処理部２０５からの印刷データに基づいて出力する印刷エンジン部２０６を具備して構成される。
【００５８】
さらに、プリンタ２０１はプリンタ２０１とユーザを繋ぐユーザインターフェースとして、ユーザに情報を表示する表示部２０７、ユーザが情報を入力するための操作部２０８も備えている。
【００５９】
以上がプリンタ２０１の概略構成を示す各機能ブロック図の説明であり、上記に示す構成により上記実施例１を説明した図１に示されるホスト端末１０１と略同様の動作を行うことができる。
【産業上の利用可能性】
【００６０】
本発明の印刷制御装置および印刷ホスト装置および印刷装置および方法およびプログラムは、印刷出力時における省トナー（インク）を図る場合に有効であり、特に、印刷部分（トナー／インク付着部分）の占める割合が高い印刷データを印刷する場合に有効利用することができる。
【図面の簡単な説明】
【００６１】
【図１】本発明に係わる印刷制御方法を適用したホスト端末１０１の概略構成を示すブロック図である。
【図２】印刷データ３０１の一例である。
【図３】図１に示したホスト端末１０１から反転印刷を指定する際に用いられる画面レイアウトの一例である。
【図４】図１に示したホスト端末１０１から反転印刷を指定した結果出力された印刷物５０２の一例である。
【図５】図１に示したホスト端末１０１における印刷制御処理の動作を説明するフローチャートである。
【図６】本発明に係わる印刷制御方法を適用したプリンタ２０１の概略構成を示すブロック図である（実施例２）。
【符号の説明】
【００６２】
１０１    ホスト端末
１０２    印刷データ生成部
１０３    印刷領域割合計測部
１０４    反転処理判断部
１０５    反転処理部
１０６    表示部
１０７    操作部
２０１    プリンタ
２０２    印刷データ受信部
２０３    印刷領域割合計測部
２０４    反転処理判断部
２０５    反転処理部
２０６    印刷エンジン部
２０７    表示部
２０８    操作部
【図１】
2005335291.tif 000003
【図２】
2005335291.tif 000004
【図３】
2005335291.tif 000005
【図４】
2005335291.tif 000006
【図５】
2005335291.tif 000007
【図６】
2005335291.tif 000008